(57)【要約】  本発明は２ライン又はそれ以上のライン反転駆動方式が適用される液晶表示装置に関する。液晶表示装置のタイミング制御部は、画像データの極性が少なくとも２ライン以上の画素行ごとに反転されるように制御し、極性反転が起こる画素に対してはその画素に対応する画像データに一定のレベルだけその画素を過充電させるための所定の補償データを合成して出力させる。このため、タイミング制御部はベクトルテーブルを含み、該ベクトルテーブルは、クロック周波数、フレーム周波数及びライン周波数に関して、補償すべきフレームとラインの数を保存している。極性反転が起こる画素を過充電させるための電圧を印加するために、ベクトルテーブルに保存されている補償データを外部のグラフィックスソースから提供された画像データに合成させ、このように生成された画像データを利用して液晶パネルを駆動させる。補償データは、表示画面の位置による輝度差及び所定フレームごとの充電レベル補償を考慮して予め決められる。
2005527855.tif 000002
【特許請求の範囲】
【請求項１】
２ライン又はそれ以上のライン単位で反転駆動方法が適用される液晶表示装置において、
互いに交差するように配列された複数のゲートライン及びデータラインと、前記ゲートラインとデータラインの各交差点近傍に形成された画素からなる液晶パネル、
ゲートオン電圧及びゲートオフ電圧によって前記液晶パネル上のゲートラインを順次にスキャニングするゲート駆動部、
画像データに対応する階調電圧を選択し、前記選択された階調電圧を前記液晶パネル上のデータラインに印加するデータ駆動部、
前記ゲート駆動部のゲートオン電圧及びゲートオフ電圧と、前記データ駆動部の階調電圧を生成して出力させる電圧発生部、及び
前記ゲート駆動部とデータ駆動部に必要な制御信号を生成し、外部のグラフィックスソースから入力される画像データのデータフォーマットを前記データ駆動部で要求される形式に変換するタイミング制御部
を含み、
前記タイミング制御部は、前記画像データの極性が２ライン以上の行ごとに反転するように制御し、前記極性反転が起こる画素に対してはその画像データに一定のレベルだけその画素を過充電させるための所定の補償データを合成して出力させる
ことを特徴とする液晶表示装置。
【請求項２】
クロック信号の周波数を検出するために基準周波数を前記タイミング制御部に提供する基準周波数生成器、及び
前記液晶表示装置の種類に応じてフレーム周波数とライン周波数の情報を設定して前記タイミング制御部に提供するためのオプション設定部
をさらに含むことを特徴とする請求項１に記載の液晶表示装置。
【請求項３】
前記タイミング制御部は、
前記液晶表示装置の駆動に必要なクロック信号の周波数を検出する周波数検出器、
前記液晶表示装置の少なくとも１つの駆動周波数に対して補償すべきフレームとラインの数を保存しており、画像データに対応するアドレス情報と、前記画像データに相当する補償データに対応するデータ情報を保存しているベクトルテーブル、
外部のグラフィックスソースから提供される画像データに対応する補償データを前記ベクトルトルテーブルから呼び出して出力するデータ補償部、及び
液晶表示装置の駆動に必要な制御信号を生成し、外部のグラフィックスソースから提供される画像データのデータフォーマットを変換し、前記データ補償部から提供される補償データを前記画像データに合成させる入出力ロジック
を含むことを特徴とする請求項１又は２に記載の液晶表示装置。
【請求項４】
前記少なくとも１つの駆動周波数は、クロック信号の周波数、フレーム周波数及びライン周波数からなることを特徴とする請求項３に記載の液晶表示装置。
【請求項５】
前記ベクトルテーブルは、不揮発性ＲＡＭ又はＲＯＭからなることを特徴とする請求項３に記載の液晶表示装置。
【請求項６】
前記タイミング制御部は、表示画面上の所定位置の画素の前記画像データに、その画素の過充電のための補償データを合成させて出力することを特徴とする請求項１に記載の液晶表示装置。
【請求項７】
前記タイミング制御部は、外部のグラフィックスソースから入力される画像データに対応する前記補償データを、所定数のフレームの１フレームに対して出力することを特徴とする請求項１に記載の液晶表示装置。
【請求項８】
２ライン又はそれ以上のライン単位で反転駆動方法が適用される液晶表示装置において、
互いに交差するように配列された複数のゲートライン及びデータラインと、前記ゲートラインとデータラインの各交差点近傍に形成された画素からなる液晶パネル、
ゲートオン電圧及びゲートオフ電圧によって前記液晶パネル上のゲートラインを順次にスキャニングするゲート駆動部、
画像データに対応する階調電圧を選択し、前記選択された階調電圧を前記液晶パネル上のデータラインに印加するデータ駆動部、
前記ゲート駆動部のゲートオン電圧及びゲートオフ電圧と、前記データ駆動部の階調電圧を生成して出力させる電圧発生部、及び
前記ゲート駆動部とデータ駆動部に必要な制御信号を生成し、外部のグラフィックスソースから入力される画像データのデータフォーマットを前記データ駆動部で要求される形式に変換するタイミング制御部
を含み、
前記タイミング制御部は、前記画像データの極性が２ライン以上の画素行ごとに反転するように制御し、前記極性が負の極性から正の極性に変わる画素には元の階調電圧より高いレベルを有する電圧が印加されるように前記画像データと補償データを合成して出力させ、前記極性が正の極性から負の極性に変わる画素には元の階調電圧より低いレベルを有する電圧が印加されるように前記画像データと補償データを合成して出力させる
ことを特徴とする液晶表示装置。
【請求項９】
クロック信号の周波数を検出するために基準周波数を前記タイミング制御部に提供する基準周波数生成器、及び、
前記液晶表示装置の種類に応じてフレーム周波数とライン周波数の情報を設定して前記タイミング制御部に提供するためのオプション設定部
をさらに含むことを特徴とする請求項８に記載の液晶表示装置。
【請求項１０】
前記タイミング制御部は、
前記液晶表示装置の駆動に必要なクロック信号の周波数を検出する周波数検出器、
前記液晶表示装置の少なくとも１つの駆動周波数に対して補償すべきフレームとラインの数を保存しており、画像データに対応するアドレス情報と、前記画像データに相当する補償データに対応するデータ情報を保存しているベクトルテーブル、
外部のグラフィックスソースから提供される画像データに対応する補償データを前記ベクトルテーブルから呼び出して出力するデータ補償部、及び
液晶表示装置の駆動に必要な制御信号を生成し、外部のグラフィックスソースから提供される画像データのデータフォーマットを変換し、前記データ補償部から提供される補償データを前記画像データに合成させる入出力ロジック
を含むことを特徴とする請求項８又は９に記載の液晶表示装置。
【請求項１１】
同期信号を利用して入力されるRGBデータのフレーム数をカウントするステップ、
現在入力されるフレームが補償フレームであるかどうかを判断するステップ、
現在のフレームが補償フレームであると判定された場合には、ベクトルテーブルに既に保存されている補償データを呼び出すステップ、
現在のフレームが補償フレームでないと判定された場合には、現在入力されたフレームが正常フレームデータであると認識するステップ、及び
前記補償データが呼び出された場合には得られた補償データと前記RGBデータを合成して出力し、正常フレームデータであると認識された場合には該正常フレームデータを出力するステップ
を含むことを特徴とする液晶表示装置の駆動方法。
【請求項１２】
現在フレームが補償フレームであるかどうかの判断は、前記ベクトルテーブルの検索によって駆動周波数に依存する補償フレームと補償ラインの数を決定して行われることを特徴とする請求項１１に記載の液晶表示装置の駆動方法。
【発明の詳細な説明】
【技術分野】
【０００１】
本発明は、液晶表示装置及びその駆動方法に関し、より詳しくは、液晶画素の劣化を防止するために２ライン又はそれ以上のライン間隔で印加電圧の極性を反転させる、２ライン又はそれ以上のライン反転駆動方法が適用される液晶表示装置及びその駆動方法に関する。本発明は、極性が反転するラインの画素おける画質不均一を解消するための液晶表示装置及びその駆動方法に関する。
【背景技術】
【０００２】
近年、パソコンやテレビなどの表示装置の軽量化及び薄形化が要求されており、このような要求を充足させるために陰極線管（CRT）の代りに液晶表示装置（LCD）のようなフラットパネル表示装置が開発されて、多様な分野で実用化されている。
液晶表示装置のパネルは、マトリックス形態で画素パターンが形成された基板と、それに対向する基板からなる。両基板の間には、異方性誘電率を有する液晶物質が注入される。両基板の間に電界が印加され、この電界の強さを調節することによって、基板を透過する光量が制御されて所望の画像の表示が行われる。
【０００３】
このような液晶表示装置には、外部のグラフィックスソースからレッド、グリーン、ブルーのnビットRGBデータが入力される。RGBデータは、液晶表示装置のタイミング制御部でデータフォーマットの変換が行われ、駆動ICでRGBデータに対応する階調（グレイスケール）電圧が選択され、選択された階調電圧が液晶パネルに印加されることによって表示動作が行われる。ここで、階調電圧は直流成分であり、直流階調電圧が液晶パネル上の画素に長時間印加されれば、各液晶画素で液晶物質が劣化するという問題点がある。このような液晶劣化を防止するために、液晶パネルの画素単位、画素ライン（行）単位又はフレーム単位で階調電圧の極性を反転させる駆動方法が提案されている。
【発明の開示】
【発明が解決しようとする課題】
【０００４】
本発明は、この中で２ライン反転駆動方法が適用される液晶表示装置に関する。
図１Ａには２ライン反転駆動方法が適用される液晶パネルの画素パターンが示されており、図１Ｂには２ライン反転駆動方法が適用される連続する４行の画素における電圧充電状態が示される。
【０００５】
図１Ａに示すように、液晶パネルでは、２行間隔で極性が反転された電圧が各画素に印加される。“+”は正の極性を示し、“-”は負の極性を示す。図１Ｂには液晶パネルの任意の１つの奇数列上の連続する４つの画素に充電される電圧の波形が示される。
２ライン反転駆動方法が適用される液晶表示装置では、印加電圧の極性が変わる行に位置した画素が十分に充電されないという問題点がある。例えば、図１Ｂの１行と３行の画素がその例である。図１Ｂで、１行と２行の画素に同一階調を有する電圧が印加されると仮定すれば、各画素の充電量が同一でなければならない。しかし、極性変更により、１行の画素で目標電圧に到達するのに所定の遷移時間がかかり、１行と３行の画素の充電量が同一でない。このような充電量の差は、輝度差を招いて表示品質を低下させる。このような充電差を起こす原因としては、極性反転駆動による画素への印加電圧の急激な変動、配線抵抗及び液晶パネル自体の負荷特性などがある。
程度の差はあるが、このような現象は２ライン反転駆動方法だけでなく、３ライン以上の反転駆動方法でも現れる。
【０００６】
本発明は、２ライン以上の間隔で画素印加電圧の極性を反転させて駆動する反転駆動方法が適用される時、極性変更のある行の画素に過充電電圧を印加することができるように補償データを生成する液晶表示装置及びその駆動方法を提供することを目的とする。
【課題を解決するための手段】
【０００７】
本発明の液晶表示装置は、互いに交差するように配列された複数のゲートライン及びデータラインと、前記ゲートラインとデータラインの各交差点近傍に形成された画素からなる液晶パネル、ゲートオン電圧及びゲートオフ電圧によって前記液晶パネル上のゲートラインを順次にスキャニングするゲート駆動部、画像データに対応する階調電圧を選択し、前記選択された階調電圧を前記液晶パネル上のデータラインに印加するデータ駆動部、前記ゲート駆動部のゲートオン電圧及びゲートオフ電圧と、前記データ駆動部の階調電圧を生成して出力させる電圧発生部、及び前記ゲート駆動部とデータ駆動部に必要な制御信号を生成し、外部のグラフィックスソースから入力される画像データのデータフォーマットを前記データ駆動部で要求される形式に変換するタイミング制御部を含み、前記タイミング制御部は前記画像データの極性が２ライン以上の画素行ごとに反転するように制御し、前記極性反転が起こる画素に対してはその画像データに一定レベルだけその画素を過充電させるための所定の補償データを合成して出力することを特徴とする。
【０００８】
前記タイミング制御部は補償データを保存しているベクトルテーブルを含み、前記ベクトルテーブルはクロック周波数、フレーム周波数及びライン周波数に関して、補償すべきフレームとラインの数を保存しており、画像データをアドレス情報とし、前記画像データに相当する補償データをデータ情報とするデータ構造で、前記アドレス情報とデータ情報を保存している。
極性反転が起こる画素を過充電させるための電圧を印加するために、前記ベクトルテーブルに保存されている補償データを外部のグラフィックスソースから提供された画像データに合成させ、このように生成された画像データを利用して液晶パネルを駆動させる。そして、前記補償データは表示画面の位置別の輝度差及びフレームごとの充電レベル補償を考慮して予め決められる。
【発明の効果】
【０００９】
本発明によれば、２ライン又はそれ以上のライン反転駆動方式が適用される液晶表示装置において、極性が変更されるラインの画素には補償データによって過充電された電圧が印加され、前記補償データは表示画面の位置別の輝度差と液晶表示装置の駆動周波数によって間歇的に発生させる。これにより、極性変更のあるラインの画素で画質が不均一になる問題点を解決することができる。
【発明を実施するための最良の形態】
【００１０】
添付した図面を参照して、本発明の実施例について本発明の属する技術分野における通常の知識を有する者が容易に実施することができるように詳細に説明する。しかし、本発明は多様で相異なる形態で実現することができ、ここで説明する実施例に限定されない。
以下で、本発明の実施例による液晶表示装置及びその駆動方法について図面を参照して詳細に説明する。
【００１１】
図２には、本発明の原理を説明するために、液晶パネル上の連続する４行の画素における電圧充電波形が示す。
図２に示すように、第１行の画素及び第３行の画素で極性が変わる。極性が変わる画素に斜線部分（a）及び（b）のような過充電レベルを有する電圧が印加される。このような過充電レベルは、元来（目標）の印加電圧レベルに付加される所定の補償電圧レベルである。例えば、極性が（-）から（+）に変わる画素には、元来の階調電圧より多少高いレベルを有する過充電レベル（a）が印加され、（+）から（-）に変わる画素には、元来の階調電圧より低いレベルを有する過充電レベル（b）が印加される。補償電圧は、外部のグラフィックスソースから提供されたRGBデータに補償データを加算して得られる。補償データは最少単位が１ビットであるので、結局過充電レベルを有する画素印加電圧は、元来の画素印加電圧より少なくとも１階調以上の差がある。したがって、あまり過度な充電になり過ぎて過充電による輝度差を誘発することがある。したがって、本発明では、補償電圧を１フレームの全ての行に対して適用するのでなく、輝度差が発生するフレーム内の所定位置に対して補償電圧を印加するか、又は、所定数のフレームごとに１度ずつ、つまり、間歇的に補償電圧を印加して、時間的平均化によって精緻な補償を可能にしている。そして、フレームリフレッシュ率又は駆動周波数の変化によっても充電差が発生するので、このような周波数条件によっても補償電圧の印加条件を決定する。
【００１２】
図３には、本発明の一実施例による液晶表示装置のブロック図が示されている。
図３に示すように、本発明の一実施例による液晶表示装置は、液晶パネル１０、ゲート駆動部２０、データ駆動部３０、電圧発生部４０、タイミング制御部５０、基準周波数発生器６０及びオプション設定部７０を含む。
液晶パネル１０は、互いに交差するように配列された複数のゲートライン及びデータラインと、ゲートライン及びデータラインの各交差点近傍に形成された画素からなる。ゲート駆動部２０は、タイミング制御部５０から提供される制御信号CONT２によって液晶パネル１０上のゲートラインを順次にスキャニングする。データ駆動部３０は、タイミング制御部５０から提供されるRGBデータと制御信号CONT１を利用して液晶パネル１０上のデータラインに階調電圧を印加する。階調電圧は、RGBデータによって決定される電圧であり、当該画素に対する光透過率を決定して画面に所定の画像を表示する。電圧発生部４０は、ゲート駆動部２０及びデータ駆動部３０で必要とする電圧を発生させる。つまり、ゲートオン電圧及びゲートオフ電圧と、所定レベルを有する複数の階調電圧を生成して当該駆動部に出力させる。
【００１３】
タイミング制御部５０は、外部のグラフィックスソースからクロック信号CLKと、同期信号SYNC及びデータ開始（イネーブル）信号DEと、データ信号DATAを各々受ける。クロック信号CLKは液晶表示装置内の回路動作の基準となるクロック信号であり、同期信号SYNCは垂直及び水平同期信号であり、データ開始信号DEはデータ駆動部３０から液晶パネル１０に階調電圧を印加するための基準信号であり、データ信号DATAは画像表示のための信号である。タイミング制御部５０は、クロック信号CLK、同期信号SYNC及びデータ開始信号DEを利用して、ゲート駆動部２０とデータ駆動部３０に必要な制御信号CONT１、CONT２を生成する一方、データ信号DATAのデータフォーマットをデータ駆動部３０で要求される形式に変換する。また、タイミング制御部５０は、クロック信号CLKの周波数、液晶パネルに１０の画面上の位置、所定のフレーム間隔、又はオプション設定条件によって、それに適した補償データを発生させ、この補償データをデータ信号DATAと結合させてRGBデータを生成する。上述したように、２ライン以上のライン間隔で階調電圧の極性を反転させて駆動する場合には、極性が変わるラインの画素が十分に充電されないという問題点があった。本発明の一実施例では、クロック信号の周波数、画面上の位置、所定フレーム間隔、又はオプション設定条件に相関する補償データを予めテーブル形態で保存しており、前記条件に合う補償データを選択してこれをRGBデータに反映させる。補償データは、元のRGBデータが示す階調より１ステップ高い階調が表示されるようにする。そして、補償データは、表示画面の全ての画素に対して適用されるのでなく、表示歪曲が現れる画面上の特定位置に対して適用される。また、全てのフレームに対して補償データが適用されるのでなく、所定数のフレームごとに１度、間歇的に補償データが適用される。このようにすることにより、時間的に平均化された画面がヒトの目で認識されるので、補償データによる表示歪みを防止することができる。オプション条件はオプション設定部７０によって決定され、オプション設定部７０は、液晶表示装置の種類に依存するフレーム周波数及びライン周波数に関する情報を、ユーザにより設定可能に構成されている。
より具体的には、タイミング制御部５０は、周波数検出器５１、入出力ロジック５２、データ補償部５３及びベクトルテーブル５４で構成される。
【００１４】
周波数検出器５１は、クロック信号CLKの周波数を検出するためのものであって、基準周波数発生器６０から提供される基準周波数とクロック信号CLKの周波数を比較してクロック信号CLKの周波数を検出する。
ベクトルテーブル５４は、不揮発性ＲＡＭ又はＲＯＭで実現することができ、クロック周波数、ライン周波数及びフレーム周波数に対する補償フレームと補償ラインを保存し、画像信号DATAをアドレス情報とし、その画像信号DATAに合う補償データを、該アドレス情報に対応するデータ情報として保存している。
【００１５】
データ補償部５３は、周波数検出器５１から提供されるクロック信号CLKの周波数とオプション設定部７０から提供されるフレーム周波数とライン周波数の入力を受けて、これら周波数情報に対応する補償フレームと補償ラインをベクトルテーブルで決定し、入力されるデータ信号DATAに対応する補償データを決定して、入出力ロジック５２に提供する。
入出力ロジック５２は、外部グラフィックスソースから提供されるデータ信号DATAにデータ補償部５３から提供された補償データを結合してRGBデータを生成する。その他にも、入出力制御部５２は、RGBデータのデータフォーマット変換と制御信号CONT１、CONT２の生成を行う。
【００１６】
図４Ａ及び図４Ｂは、液晶パネル上の表示画面位置による補償過程とフレーム別の補償過程を各々示している。
図４Ａを参照すれば、液晶パネル上で上下又は左右の位置で輝度差が発生する。本発明の一実施例では、このような位置による輝度差を解消するために、画面上の画素位置に応じて画素に補償データが適用されるように、ベクトルテーブル５４が構成される。つまり、予め実測によって表示画面の位置によって補償する値を決定し、これを補償データに換算してベクトルテーブル５４に適用させる。
図４Ｂに示すように、所定数のフレーム単位で補償フレームが選択される。全てのフレームに対して補償データを適用すれば、目標とする画像から外れるので、本発明では、所定数のフレームから補償フレームを決定する。補償フレームの数と、補償フレーム内で補償データを適用するラインの数、つまり、補償ラインの数は、クロック信号CLKの周波数、フレーム周波数及びライン周波数に応じて実験的に決定される。このような情報によりベクトルテーブル５４が構成される。
【００１７】
次に、図５のフロー図を参照して、タイミング制御部５０で補償データを生成する過程について、より詳細に説明する。
まず、データ補償部５３の動作が始まれば（S５１）、タイミング制御部５０は、入力される同期信号SYNCを利用してフレーム数をカウントする（S５２）。次に、タイミング制御部５０は、該制御部に現在入力されたデータ信号DATA、（フレーム単位で区分されている）が補償フレームであるかどうかを判断する（S５３）。このステップは、データ補償部５３が、ベクトルテーブル５４を検索して、クロック周波数、フレーム周波数及びライン周波数に対応する補償フレームと補償ラインを決定し、現在のフレームが補償フレームであるかどうかを確認することによって実行される。ステップS５３で現在フレームが補償フレームであると判定した場合には、ベクとるテーブル５４に既に保存されている補償データを呼び出す（S５４）。この時、現在フレームデータをベクトルテーブル５４のアドレス情報として用いて、ベクトルテーブル５４に保存されているデータ情報がアドレッシングされる。一方、ステップS５３で現在フレームデータが補償フレームでないと判定した場合には、現在のRGBデータが正常データであると認識する（S５５）。次に、ステップS５４で得られた保証データ又はステップS５５で得られた最初に入力されたフレームデータが、補償過程を経たRGBデータとしてタイミング制御部５０の入出力ロジック５２に出力される（S５６）。入出力ロジック５２によって、補償されたデータとタイミング制御部５０に入力されたデータ信号DATAは合成される。最終的に、制御フローが元に戻って、ステップS５２〜ステップS５６の過程が全ての入力データに対して繰り返される。
【００１８】
図６及び図７には、ベクトルテーブルに記憶されたデータ例が示されている。
ベクトルテーブルには大きく２種類のデータが保存されている。
第一は、図６に示すように、各種周波数に対する補償フレームの数と補償ラインの数に関する情報が、ベクトルテーブルに保存されている。第二は、図７に示すように、入力されるRGBデータをアドレス情報とし、補償データをデータ情報とし、アドレス情報とデータ情報が保存されている。
【００１９】
図６を参照すれば、液晶表示装置のフレーム周波数、ライン周波数及びクロック周波数に対する補償フレームの数及び補償ラインの数の関係が示されている。液晶表示装置が６０MHzのクロック周波数、６０KHzのライン周波数及び６０Hzのフレーム周波数を有している場合は、補償フレーム数は３であり、補償ライン数は４である。これは３フレームごとに４ラインずつ補償するという意味である。
【００２０】
図７を参照すれば、アドレス項目には１６進数の入力RGBデータが割当られており、データ項目には正常フレームデータと補償フレームデータが割当られている。例えば、入力されたRGBデータの階調レベル、つまり、グレーレベルが１０１階調であれば、正常フレームである場合には１０１階調が出力され、補償フレームである場合には１０２階調が出力される。また、図７に示すように、本発明では、階調別に補償程度を微細分割又は最適化して適用している。つまり、階調別にどの程度を補償するかは、実験に基づいて最適化され決定される。
【００２１】
以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００２２】
【図１Ａ】一般的な２ライン反転駆動方法が適用される液晶パネルの極性パターンを示した図である。
【図１Ｂ】２ライン反転駆動方法が適用される場合の、連続する４行の画素における電圧充電状態を示した図である。
【図２】本発明の原理を説明するために、画素における電圧充電状態を示した図である。
【図３】本発明による液晶表示装置の構成図である。
【図４Ａ】液晶パネル上の位置に依存する補償過程を説明するための図面である。
【図４Ｂ】フレームに依存する補償過程を説明するための図面である。
【図５】本発明の一実施例による液晶表示装置における補償データを生成する過程を示したフロー図である。
【図６】本発明の一実施例による液晶表示装置におけるベクトルテーブルの例を示した図である。
【図７】本発明の一実施例による液晶表示装置におけるベクトルテーブルの例を示した図である。
【符号の説明】
【００２３】
１０：液晶パネル                ２０：ゲート駆動部
３０：データ駆動部              ４０：電圧発生部
５０：タイミング制御部          ５１：周波数検出器
５２：入出力ロジック            ５３：データ補償器
５４：ベクトルテーブル          ６０：基準周波数発生器
７０：オプション設定器
2005527855.tif 000003
【図１Ｂ】
2005527855.tif 000004
【図２】
2005527855.tif 000005
【図３】
2005527855.tif 000006
【図４Ａ】
2005527855.tif 000007
【図４Ｂ】
2005527855.tif 000008
【図５】
2005527855.tif 000009
【図６】
2005527855.tif 000010
【図７】
2005527855.tif 000011
【国際調査報告】
2005527855.tif 000012
2005527855.tif 000013